【事件の表示】
　平成１１年特許願第２５２３４６号「パチンコ機」拒絶査定に対する審判事件［平成１２年　２月２９日出願公開、特開２０００−　６１０９１］について、次のとおり審決する。
【結　論】
　本件審判の請求は、成り立たない。
【理　由】
１・手続きの経緯及び発明の要旨
　この出願は、昭和６２年５月２８日に出願された実用新案登録出願（実願昭６２−７９９９０号）の一部が、（旧）実用新案法第９条第１項の規定で準用する特許法第４４条の規定により、平成３年５月２７日に新たな実用新案登録出願（実願平３−４６７５１号）とされ、この新たな実用新案登録出願が、特許法第４６条第１項の規定により、平成３年５月２８日に特許出願（特願平３−１５０９０７号）に変更され、この特許出願の一部が、特許法第４４条の規定により、平成８年３月１１日に新たな特許出願（特願平８−８２０３３号）とされ、この新たな特許出願の一部が、同規定により、平成９年１月２７日に新たな特許出願（特願平９−２７１８８号）とされ、この新たな特許出願の一部が、同規定により、平成１０年９月２８日に新たな特許出願（特願平１０−２７２３８４号）とされ、この新たな特許出願の一部が、同規定により、平成１１年９月６日に新たな特許出願とされたものであって、その発明の要旨は、平成１３年８月１３日付け手続補正によって補正された明細書及び図面の記載からみて、その特許請求の範囲の請求項１に記載されたとおりの、
「遊技盤に設けられた始動口における球の検出に基づいて、表示装置で複数図柄の可変表示による特別遊技を行うと共に、特定の図柄の組合せにより大入賞口を開放するようにしたパチンコ機において、
　前記特別遊技及び大入賞口の開放に関わる遊技の制御を行う制御装置と、該制御装置から送信されるデータに基づいて図柄、文字等を前記表示装置に表示する表示の制御を行うコンピュータを有する処理部とを、前記制御装置はパチンコ機の背面側に配設し、前記処理部は前記表示装置の背面側に配設して各々個別に分離構成し、
　前記表示装置に設けられている基板は第１の基板と第２の基板とが背中合わせに構成され、第１の基板の前記背中合わせ側の面に対する反対側の面には表示部を設け、第２の基板の前記背中合わせ側の面に対する反対側の面には前記処理部及び外部接続端子を、パチンコ機の背面側に向ってそれぞれ設け、前記表示部と前記処理部はコネクタを介して電気的に接続し、
　遊技盤に設けたセンター役物の取付板の表示窓に、前記表示装置の表示部を背面側から臨ませ、前記表示装置の第１の基板及び第２の基板が前記取付板の背面側に位置するようにし、
　前記制御装置と前記処理部は前記外部接続端子を介して電気的に接続したことを特徴とするパチンコ機」
にあるものと認められる。
２・引用刊行物に記載された発明
　これに対して、当審の拒絶理由に引用された、この出願の出願前に国内において頒布された刊行物である実願昭５８−１９９９５４号（実開昭６０−１０９６８３号）のマイクロフィルム（以下「刊行物１」という）には、
特に、
（１）「第１ゲーム装置駆動制御部１００は、特定入賞装置（特定入賞口６）へ入賞したとき第１ゲーム装置・・・を作動させ・・・第１ゲーム装置の表示態様の連続的作動・・・を停止させる・・・第２ゲーム装置駆動制御部２００は、第１ゲーム装置の表示態様の連続的作動が停止したときその停止時の表示態様の重み・・・を判別する・・・判別結果に対応して、前記第２ゲーム装置のゲームの進行を指示する予め複数設定された作動情報のいずれかを選択する・・・選択された作動情報に従って第２ゲーム装置のゲームの進行を・・・行なわせしめる・・・変動入賞装置駆動制御部３００は、第２ゲーム装置での表示態様が所定の賞態様を形成・・・したとき所定期間だけ変動入賞装置５を開状態に変換する」（明細書第１４頁第７行ないし第１５頁第９行）の記載から、
第１ゲーム装置駆動制御部１００，第２ゲーム装置駆動制御部２００及び変動入賞装置５に対する駆動制御部３００が、特定入賞口６における球の検出に基づいて、第１ゲームを作動させ、次いで液晶画像表示装置４０で第２ゲームを行うと共に、第２ゲームでの表示態様が所定の賞態様を形成したとき変動入賞装置５を開放するものと認められること、
（２）図面第４，５及び７図並びに「液晶駆動基板４３０には、上記ゴムコネクタ４７と対応する位置にドライバ（ＩＣ）４８が設けてある」（明細書第１１頁第２乃至５行）及び「液晶表示パネル４１の電極は、ゴムコネクタ４７を介してドライバ（ＩＣ）４８と電気的に接続される」（明細書第１１頁第８乃至１０行）の記載から、
液晶画像表示装置４０の背面側にドライバ（ＩＣ）４８が配設され、前記液晶画像表示装置４０に設けられている基板は液晶画像パネル４１と液晶駆動基板４３０とが背中合わせに構成され、液晶駆動基板４３０の前記背中合わせ側の面に対する反対側の面には前記ドライバ（ＩＣ）４８及び接続線を、パチンコ機の背面側に向ってそれぞれ設け、前記液晶画像パネル４１と前記ドライバ（ＩＣ）４８はゴムコネクタ４７を介して電気的に接続されているものと認められること、
（３）図面第４，５，７及び９図の記載から、
液晶駆動基板４３０の背面側に第２ゲーム装置駆動制御部２００と接続するための接続線が設けられているものと認められること、
からみて、
「遊技盤２に設けられた特定入賞口６における球の検出に基づいて、第１ゲームを作動させ、次いで液晶画像表示装置４０で第２ゲームを行うと共に、第２ゲームでの表示態様が所定の賞態様を形成したとき変動入賞装置５を開放するようにしたパチンコ機において、
　第１ゲーム、前記第２ゲーム及び変動入賞装置５の開放に関わる遊技の制御を行う第１ゲーム装置駆動制御部１００，第２ゲーム装置駆動制御部２００及び変動入賞装置５に対する駆動制御部３００と、ドライバ（ＩＣ）４８とを、該ドライバ（ＩＣ）４８は前記液晶画像表示装置４０の背面側に配設して各々個別に構成し、
　前記液晶画像表示装置４０に設けられている基板は液晶画像パネル４１と液晶駆動基板４３０とが背中合わせに構成され、液晶駆動基板４３０の前記背中合わせ側の面に対する反対側の面には前記ドライバ（ＩＣ）４８及び接続線を、パチンコ機の背面側に向ってそれぞれ設け、前記液晶画像パネル４１と前記ドライバ（ＩＣ）４８はゴムコネクタ４７を介して電気的に接続し、
　遊技盤２に設けたゲーム盤４と変動入賞装置５とを有するユニットのユニット基板２２の開口（窓）２３に、前記液晶画像表示装置４０の液晶画像パネル４１を背面側から臨ませ、前記液晶画像表示装置４０の液晶画像パネル４１及び液晶駆動基板４３０が前記ユニット基板２２の背面側に位置するようにし、
　前記第１ゲーム装置駆動制御部１００，第２ゲーム装置駆動制御部２００及び変動入賞装置５に対する駆動制御部３００と前記ドライバ（ＩＣ）４８は前記接続線を介して電気的に接続したパチンコ機」を構成とする発明が、
同じくこの出願の出願前に国内において頒布された刊行物である特開昭６０−２９１６８号公報（以下「刊行物２」という）には、
「遊戯盤２に設けられたＧＯチャッカー４ａ〜４ｃにおける球の検出に基づいて、表示器３ａ〜３ｄに予め定められた順序で異なる複数の表示態様を表示させると共に、予め定められた態様により開閉扉５ａを開放するようにしたパチンコ機」を構成とする発明が、
同じくこの出願の出願前に国内において頒布された刊行物である特開昭６１−２０９６８１号公報（以下「刊行物３」という）には、
「遊技盤１に設けられた第１特定入賞領域１１〜１３における球の検出に基づいて、表示器２３で所定桁の数の組合せを表示する第１の表示モードをとらせると共に、奇数のゾロ目により第２特定入賞領域１４を開放するようにしたパチンコ遊技機」を構成とする発明が、
同じくこの出願の出願前に米国内において頒布された刊行物である米国特許第４５１７６５４号明細書（クラス３６４）（以下「刊行物４」という）には、
特に、
「例えば、ピンボールマシンは今やビデオゲームであり、スロットマシンは今やビデオゲーム装置である」（第１欄下から第４８，４７行）、「本発明は、入力バスから供給されるデータを受け取り、供給されたデータから画像を形成する技術に関する。そしてデータがゲーム回路から供給されることを特徴とする。ゲームの動画と、ゲームの画像表示のためのデータは、図１に示すように、ビデオ中央処理装置（ＣＰＵ）１０に供給される。ＣＰＵは、ゲームの操作信号に基づいて、ビデオに関する全ての制御を行う」（第３欄下から第１９乃至１１行）及び「ビデオプロセッサはゲームプロセッサアドレス線を含み、それによってビデオプロセッサはゲームプロセッサデータバスに接続される。ゲームプロセッサ（図示されていない）からのデータは、ビデオプロセッサ１０によってデータバスを介して受け取られる。更に、ビデオプロセッサはゲームプロセッサから割り込みを受け、それによって、ビデオプロセッサはデータ処理のサイクルの途中でゲームプロセッサのコマンドに応答することができる。ビデオプロセッサはゲームプロセッサデータバスにデータ出力信号を与えてビデオプロセッサの状態を示す。ビデオプロセッサがゲームプロセッサから命令を受け取ると、プログラムメモリ１９はアドレスラッチ１２を介してアドレス指定される。プログラムメモリ１９はビデオプロセッサを動作するための命令及びゲームプロセッサコマンドに従って図形画像を形成するための命令を含む。一旦アドレス指定されると、プログラムメモリによってビデオプロセッサが他のビデオプロセッサ回路に与えられるデータの形でコマンドを発生することができる」（第４欄第６３行乃至第５欄第１４行）の記載から、
ビデオプロセシングアーキテクチャがゲーム用であり、ビデオプロセッサ回路はゲーム回路から送信されるデータに基づいて図形画像をビデオに表示する表示の制御を行い、ゲーム回路とビデオプロセッサ回路とは各々個別に構成されているものと認められること、
からみて、
「ゲーム用ビデオプロセシングアーキテクチャにおいて、
　ゲーム回路と、該ゲーム回路から送信されるデータに基づいて図形画像をビデオに表示する表示の制御を行うビデオプロセッサ回路とを各々個別に構成したゲーム用ビデオプロセシングアーキテクチャ」を構成とする発明が、
同じくこの出願の出願前に国内において頒布された刊行物である実願昭５９−１６２３３０号（実開昭６１−７７０７８号）のマイクロフィルム（以下「刊行物５」という）には、
「遊戯盤１に設けられたセーフ穴２における球の検出に基づいて、表示装置７の表示によりアタッカ５を開放するようにした弾球遊技機において、
　前記アタッカ５の開放に関わる遊技の制御を行う制御回路３３と、該制御回路３３から送信される制御信号に基づいて画面９及びバーグラフ１０を前記表示装置７に表示する液晶駆動回路１６とを、前記制御回路３３は弾球遊技機の背面側に配設し、前記液晶駆動回路１６は前記表示装置７の上部に配設して各々個別に分離構成し、
　前記表示装置７には液晶板１２を設け、前記表示装置７の上部の面にはソケット３５を、弾球遊技機の上部側に向って設け、前記液晶板１２と前記液晶駆動回路１６は結線を介して電気的に接続し、
　遊戯盤１に設けた前板２１の開口２４に、前記表示装置７の液晶板１２を背面側から臨ませ、
　前記制御回路３３と前記液晶駆動回路１６は前記ソケット３５を介して電気的に接続した弾球遊技機」を構成とする発明が、
同じくこの出願の出願前に国内において頒布された刊行物である実願昭５６−６６７８９号（実開昭５７−１８０３８１号）のマイクロフィルム（以下「刊行物６」という）には、
特に、第１図の記載からみて、
「表示装置に設けられている基板が印刷配線基板３と印刷配線基板４とが背中合わせに構成され、印刷配線基板３の前記背中合わせ側の面に対する反対側の面にはプラズマディスプレイパネル１の矩形状表示部２を設け、印刷配線基板４の前記背中合わせ側の面に対する反対側の面にはコネクタを、前記プラズマディスプレイパネル１の矩形状表示部２と反対側に向けて設けた表示装置」を構成とする発明が、
それぞれ記載されているものと認められる。
３・対比及び判断
　そこで、この出願の発明（前者）と刊行物１に記載された発明（後者）とを対比するに、
後者の
「特定入賞口６」、「液晶画像表示装置４０」、「変動入賞装置５」、「第１ゲーム装置駆動制御部１００，第２ゲーム装置駆動制御部２００及び変動入賞装置５に対する駆動制御部３００」、「液晶画像パネル４１」、「液晶駆動基板４３０」、「ゴムコネクタ４７」、「ゲーム盤４と変動入賞装置５とを有するユニット」、「ユニット基板２２」及び「開口（窓）２３」
がそれぞれの機能に照らし、それぞれ
前者の
「始動口」、「表示装置」、「大入賞口」、「制御装置」、「表示部」、「第２の基板」、「コネクタ」、「センター役物」、「取付板」及び「表示窓」
に相当するものと認められるから、
両者は、
「遊技盤に設けられた始動口における球の検出に基づいて、表示装置で遊技を行うと共に、表示結果により大入賞口を開放するようにしたパチンコ機において、
　前記大入賞口の開放に関わる遊技の制御を行う制御装置と、表示装置に関わる部材とを、該表示装置に関わる部材は前記表示装置の背面側に配設して各々個別に構成し、
　前記表示装置に設けられている基板は表示部に関わる部材と第２の基板とが背中合わせに構成され、第２の基板の前記背中合わせ側の面に対する反対側の面には前記表示装置に関わる部材及び接続に関わる部材を、パチンコ機の背面側に向ってそれぞれ設け、前記表示部に関わる部材と前記表示装置に関わる部材はコネクタを介して電気的に接続し、
　遊技盤に設けたセンター役物の取付板の表示窓に、前記表示装置の表示部を背面側から臨ませ、前記表示装置の前記表示部に関わる部材及び第２の基板が前記取付板の背面側に位置するようにし、
　前記制御装置と前記表示装置に関わる部材は前記接続に関わる部材を介して電気的に接続したパチンコ機」である、
点において一致し、
（１）前者においては、遊技が複数図柄の可変表示による特別遊技であり、表示結果が特定の図柄の組合せである、
のに対し、
後者においては、遊技が第１ゲーム及び第２ゲームであり、表示結果が第２ゲームでの所定の賞態様の形成である、
（２）表示装置に関わる部材が、
前者は、制御装置から送信されるデータに基づいて図柄、文字等を表示装置に表示する表示の制御を行うコンピュータを有する処理部である、
のに対し、
後者は、ドライバ（ＩＣ）である、
（３）制御装置が、
前者は、パチンコ機の背面側に配設されている、
のに対し、
後者は、何処に配設されているのか明らかではない、
（４）制御装置と表示装置に関わる部材とが、
前者は、分離されている、
のに対し、
後者は、分離されているのか否か明らかではない、
（５）表示部に関わる部材が、
前者は、第１の基板と、第１の基板の背中合わせ側の面に対する反対側の面に設けられる表示部とで構成されている、
のに対し、
後者は、表示部である、
（６）接続に関わる部材が、
前者は、外部接続端子である、
のに対し、
後者は、接続線である、
点において相違しているものと認められる。
　しかし、前記相違点（１）についてみるに、
前記相違点（１）の前者の構成である、「遊技が複数図柄の可変表示による特別遊技であり、表示結果が特定の図柄の組合せである」という構成は、
刊行物２に記載された発明の
「遊戯盤２」、「ＧＯチャッカー４ａ〜４ｃ」、「表示器３ａ〜３ｄに予め定められた順序で異なる複数の表示態様を表示させる」、「予め定められた態様」及び「開閉扉５ａ」
がそれぞれの機能に照らし、それぞれ
前者の
「遊技盤」、「始動口」、「表示装置で複数図柄の可変表示による特別遊技を行う」、「特定の図柄の組合せ」及び「大入賞口」
に相当するものと認められ、
又、
刊行物３に記載された発明の
「第１特定入賞領域１１〜１３」、「表示器２３」、「所定桁の数の組合せを表示する第１の表示モードをとらせる」、「奇数のゾロ目」、「第２特定入賞領域１４」及び「パチンコ遊技機」
がそれぞれの機能に照らし、それぞれ
前者の
「始動口」、「表示装置」、「複数図柄の可変表示による特別遊技を行う」、「特定の図柄の組合せ」、「大入賞口」及び「パチンコ機」
に相当するものと認められるから、
刊行物２及び３に記載された各発明にも備わっているように、
パチンコ機において、従来周知の構成にすぎないものと認められ、
しかも、「始動口における球の検出」を切っ掛けとして「大入賞口を開放する」というゲームの大筋は、後者も、従来周知の構成も、一致しているのであるから、
後者に従来周知の構成を適用し、後者において、前記相違点（１）の後者の構成に代え、従来周知の構成、すなわち、前記相違点（１）の前者の構成、を採用することは、当業者が格別創意工夫を要することではないというべきである。
　又、前記相違点（１）の前者の効果が、後者及び従来周知の構成のそれぞれの効果の総和以上の格別のものとは認められない。
　前記相違点（２）についてみるに、
刊行物４に記載された発明の
「ゲーム回路」、「図形画像」、「ビデオ」及び「ビデオプロセッサ回路」
がそれぞれの機能に照らし、それぞれ
前者の
「遊技の制御を行う制御装置」、「図柄、文字等」、「表示装置」及び「コンピュータを有する処理部」
に相当するものと認められるから、
刊行物４に記載された発明には、
「ゲーム用ビデオプロセシングアーキテクチャにおいて、
　遊技の制御を行う制御装置と、該遊技の制御を行う制御装置から送信されるデータに基づいて図柄、文字等を表示装置に表示する表示の制御を行うコンピュータを有する処理部とを各々個別に構成したゲーム用ビデオプロセシングアーキテクチャ」という構成、
すなわち、前記相違点（２）の前者の構成である、「遊技の制御を行う制御装置から送信されるデータに基づいて図柄、文字等を表示装置に表示する表示の制御を行うコンピュータを有する処理部」という構成、
が備わっているものと認められる。
　そうすると、（ア）刊行物４に記載された発明の「ゲーム用ビデオプロセシングアーキテクチャ」は、後者の「パチンコ機」と同様の技術分野のものであると認められること、（イ）後者のドライバ（ＩＣ）も、刊行物４に記載された発明の処理部も、表示装置に関わる部材であると認められること、（ウ）第１のコンピュータの負荷の軽減を図るために第２のコンピュータを設けること自体、従来周知の技術的事項である（必要なら、特開昭５９−６４０８２号公報、特開昭５７−１３２２６０号公報を参照されたい）ものと認められること、を勘案すると、
後者に刊行物４に記載された発明を適用し、後者の表示装置に関わる部材である「ドライバ（ＩＣ）」に代え、刊行物４に記載された発明の「遊技の制御を行う制御装置から送信されるデータに基づいて図柄、文字等を表示装置に表示する表示の制御を行うコンピュータを有する処理部」を採用することは、当業者が格別創意工夫を要することではなく、そして、後者の表示装置に関わる部材である「ドライバ（ＩＣ）」が、そもそも表示装置の背面側に配設され、且つ、パチンコ機の背面側に向って設けられているのであるから、刊行物４に記載された発明の表示装置に関わる部材である「処理部」を、そのように配設し、且つ、そのように設けることは、当業者が格別創意工夫を要することではないというべきである。
　又、前記相違点（２）の前者の効果が、後者、刊行物４に記載された発明及び従来周知の技術的事項のそれぞれの効果の総和以上の格別なものとは認められない。
　前記相違点（３）及び（４）についてみるに、
前記相違点（３）の前者の構成である、「制御装置がパチンコ機の背面側に配設されている」という構成は、
刊行物５に記載された発明の
「遊戯盤１」、「セーフ穴２」、「アタッカ５」、「弾球遊技機」、「制御回路３３」、「制御信号」、「画面９及びバーグラフ１０」、「液晶板１２」、「ソケット３５」、「結線」、「前板２１」及び「開口２４」
がそれぞれの機能に照らし、それぞれ
前者の
「遊技盤」、「始動口」、「大入賞口」、「パチンコ機」、「制御装置」、「データ」、「図柄、文字等」、「表示部」、「外部接続端子」、「コネクタ」、「取付板」及び「表示窓」
に相当するものと認められるから、
刊行物５に記載された発明にも備わっているところ、
そもそも「制御装置」を「パチンコ機」のどの面側に配設するにしろ、その面は、「パチンコ機」の上下左右前後（背）の６つの内にしかなく、前側に配設しては遊技者の邪魔になり、且つ、防犯上好ましくないのは明白であるから、上下左右後（背）の５つの内から選ばれることは技術常識であると認められる。しかして、「制御装置」を「パチンコ機の背面側」に配設するにつき、これを困難乃至不可能にする技術的理由があって、前者がこれを解決したとか、或いは、「制御装置」を「パチンコ機の背面側」に配設するにつき、発明力を要する工夫をしたとかいうことであれば別にして、「制御装置」を「パチンコ機の背面側」に配設すること自体は、前記技術常識である上下左右後（背）の５つの内から単に背面側を選択した単なる設計事項にすぎない。
　してみると、後者において、前記相違点（３）の前者の構成を採用することは、刊行物５に記載された発明にも備わっているような単なる設計事項であるというべきである。
　又、後者において、制御装置と表示装置に関わる部材であるドライバ（ＩＣ）とが一緒に設けられなければならないとする技術的理由はなく、むしろ、不正手段の防止、メンテナンスの容易性の確保、部品交換の便宜等の理由から、これらを分離して設けることの意味も認められるのであるから、後者において、これらが分離されているとみても一向に差し支えが無く、したがって、前記相違点（４）は、実質的な相違ではないというべきである。
　前記相違点（５）及び（６）についてみるに、
刊行物６に記載された発明の
「印刷配線基板３」、「印刷配線基板４」、「プラズマディスプレイパネル１の矩形状表示部２」及び「コネクタ」
がそれぞれの機能に照らし、それぞれ
前者の
「第１の基板」、「第２の基板」、「表示部」及び「外部接続端子」
に相当するものと認められるから、
刊行物６に記載された発明には、
「表示装置に設けられている基板が第１の基板と第２の基板とが背中合わせに構成され、第１の基板の前記背中合わせ側の面に対する反対側の面には表示部を設け、第２の基板の前記背中合わせ側の面に対する反対側の面には外部接続端子を、前記表示部と反対側に向けて設けた表示装置」という構成、
すなわち、
表示部に関わる部材が、「第１の基板と、第１の基板の背中合わせ側の面に対する反対側の面に設けられる表示部とで構成されている」という前記相違点（５）の前者の構成、
及び、
接続に関わる部材が、「外部接続端子」であるという前記相違点（６）の前者の構成、
がそれぞれ備わっているものと認められる。
　しかして、刊行物６に記載された発明の表示装置を、パチンコ機の表示装置として用いるにつき、これを困難乃至不可能にする技術的理由があるとは認められず、又、後者の「表示装置」も、刊行物６に記載された発明の「表示装置」も、二つの基板を背中合わせにするという構成を備える点で、共通するものであるから、
後者に刊行物６に記載された発明を適用し、後者の表示部に関わる部材を、「第１の基板と、第１の基板の背中合わせ側の面に対する反対側の面に設けられる表示部とで構成する」ことは、当業者が格別創意工夫を要することではないというべきである。
　又、
　パチンコ機において、「制御装置と液晶駆動回路とを外部接続端子を介して電気的に接続する」という構成が刊行物５に記載された発明にも備わっているように、接続に関わる部材を接続端子とする構成自体は従来周知の構成にすぎないと認められるから、
刊行物６に記載された発明の存在の基に、後者の接続に関わる部材である「接続線」を、「外部接続端子」とすることは、当業者が格別創意工夫を要することではなく、しかも、接続に関わる部材である「接続線」が、そもそも第２基板にパチンコ機の背面側に向って設けられているのであるから、接続に関わる部材である「外部接続端子」をそのように設けることは、当業者が格別創意工夫を要することではないというべきである。
　そして、前記相違点（５）及び（６）の前者の効果が、後者、刊行物６に記載された発明及び従来周知の構成のそれぞれの効果の総和以上の格別なものとは認められない。
　なお、意見書において、「後者において、変動入賞装置５に対する駆動制御部３００とドライバ（ＩＣ）４８とを電気的に接続する必然性はない」旨述べているところ、審決及び当審の拒絶理由では、第１ゲーム装置駆動制御部１００，第２ゲーム装置駆動制御部２００及び変動入賞装置５に対する駆動制御部３００を総合して制御装置として捉え、この制御装置に含まれる第２ゲーム装置駆動制御部２００がドライバ（ＩＣ）４８と接続されていると認めて、制御装置がドライバ（ＩＣ）４８と接続されていると認定しているのであり、第１ゲーム装置駆動制御部１００，第２ゲーム装置駆動制御部２００及び変動入賞装置５に対する駆動制御部３００を総合する制御装置は、ドライバ（ＩＣ）４８だけと接続されているわけではなく、変動入賞装置５とも接続されているのである。このことは、この出願の図面第４図において、第１の制御装置１６と表示装置１とが接続されていると共に、第１の制御装置１６にソレノイド駆動回路が接続されていることと同じである。
４・まとめ
　以上のとおり、この出願の発明は、刊行物１、４乃至６に記載された各発明、及び従来周知の技術的事項に基づいて当業者が容易に発明をすることができたものであるから、特許法第２９条第２項の規定により特許を受けることができない。
　よって、結論のとおり審決する。